(57)【要約】【課題】簡単な構造で而も取付け作業が簡単なシャッタ用中柱を提供する。【解決手段】中柱１６下端部にロック部材２３を回転可能に設け、該ロック部材が係合部２３ａを有し、床１１側に被係合部１３を有し、前記ロック部材の回転により係合部を前記被係合部に係合離脱可能とした。【選択図】        図１
2004156218.tif 000002
【特許請求の範囲】
【請求項１】
中柱下端部にロック部材を回転可能に設け、該ロック部材が係合部を有し、床側に被係合部を有し、前記ロック部材の回転により係合部を前記被係合部に係合離脱可能としたことを特徴とするシャッタ用中柱。
【請求項２】
前記係合部は前記ロック部材の下端側に設けられた円弧形状であり、前記被係合部は床側に設けた凹部の上端部に設けられ、前記係合部が通過する２つの被係合孔を有する請求項１のシャッタ用中柱。
【請求項３】
前記ロック部材は下端部がフック形状をしており、前記被係合部は床側に設けた凹部壁面に立設され前記ロック部材の下端部に嵌脱可能な被係合ピンである請求項１のシャッタ用中柱。
【請求項４】
前記ロック部材は長孔を介してピンに回転可能に支持されたロックプレートであり、該ロックプレートは下部に係合部を有し、前記被係合部は床側に設けた凹部内に設けられた被係合板であり、前記ロックプレートの回転で前記係合部が前記凹部内に進入し、前記ロックプレートの前記ピンに対する水平変位で前記被係合板と前記ロックプレートが係合可能な請求項１のシャッタ用中柱。
【請求項５】
前記ロック部材は長孔を介してピンに回転可能に支持されたロックプレートであり、該ロックプレートは下部に係合部を有し、前記被係合部は床側に設けた凹部内に設けられた被係合ピンであり、前記ロックプレートの回転で前記係合部が前記凹部内に進入し、前記ロックプレートの前記ピンに対する水平変位で前記被係合ピンと前記ロックプレートが係合可能な請求項１のシャッタ用中柱。
【請求項６】
前記ロック部材は中柱に対して近接離反方向に回転可能であり、前記ロック部材に略Ｕ字状の係合リンクを枢着し、床側に設けた凹部の壁面に被係合フックを固着し、前記ロック部材の回転により前記係合リンクを前記被係合フックに係合離脱可能とした請求項１のシャッタ用中柱。
【請求項７】
中柱の下端部に前記ロックプレートを覆うカバーが設けられ、該カバーには前記ピンを中心とする円弧状のガイド溝が設けられ、前記ロックプレートに前記ガイド溝を摺動する摘みピンが設けられ、前記ガイド溝の下端部に前記摘みピンが水平移動する水平部が形成されている請求項４又は請求項５のシャッタ用中柱。
【発明の詳細な説明】
【０００１】
【発明の属する技術分野】
本発明は建屋等の開口部に設けられるシャッタの中柱に関するものである。
【０００２】
【従来の技術】
建屋開口部にシャッタが複数組連設される場合は、シャッタとシャッタとの間にはシャッタカーテンをガイドする為の中柱が設けられる。この中柱は、シャッタカーテンを収納するシャッタケースと床とに掛渡って設けられ、開口部を開放した状態で邪魔にならない様に、取外しが可能となっている。
【０００３】
通常、中柱は床に設けられた凹部に嵌脱可能となっており、中柱を取付ける場合、中柱の上端部を前記シャッタケースに差込み、その後下端部を凹部に落込んでいる。
【０００４】
シャッタが設けられる場所によっては、強風が直接シャッタに吹付け、風圧で中柱が撓む状態となる場合があり、撓みが大きくなると中柱の下端部が持上がり、凹部から外れる可能性が出てくる。従って、強風が吹付ける様な場所に設けられるシャッタでは耐風構造を有する中柱が設けられる。
【０００５】
耐風構造を具備するシャッタの中柱としては、従来特許文献１に示される様なものがある。図１８、図１９により略述する。
【０００６】
床に、ボックス１が埋設され、該ボックス１の上面はキャッチ２により開閉可能となっており、該キャッチ２にはスリット孔３が穿設され、前記ボックス１の上面にも受孔９が穿設されている。中柱４の下端部には上端部、下端部が水平方向に屈曲されたコの字状のガイド５が固着され、該ガイド５の中途部に水平方向に突出する張出し板６が固着されている。
【０００７】
前記ガイド５の上端部、下端部、及び前記張出し板６に案内され、上下方向に摺動可能な落し板７が設けられ、該落し板７は前記張出し板６に螺合する蝶ボルト８により任意な位置に固定できる様になっている。
【０００８】
前記中柱４を固定する場合は、前記落し板７を引上げ、前記蝶ボルト８により固定しておき、前記キャッチ２を垂直状態としておく。前記中柱４の上端部を図示しないシャッタケースに差込み、前記ガイド５の下端部を前記スリット孔３に差込む。前記蝶ボルト８を緩め、前記落し板７を前記ガイド５の下端部に貫通させた後、前記受孔９に落込み、前記蝶ボルト８を締めて前記落し板７を固定する。
【０００９】
而して、前記中柱４は上下方向は前記ガイド５の下端部が前記スリット孔３に嵌合することで拘束され、前記中柱４下端部の水平方向は前記落し板７が前記受孔９に嵌合することで、拘束される。
【００１０】
【特許文献１】
実公昭５８−５１３５６号公報
【００１１】
【発明が解決しようとする課題】
上記した従来のシャッタ用中柱では上下方向、水平方向が拘束でき、耐風機能は果せるが、前記キャッチ２を開閉可能とする、前記落し板７を摺動自在に支持し、該落し板７を固定できる構造とする等構造が複雑であり、更に中柱を固定する為には、前記ガイド５の下端部を前記スリット孔３に差込み、前記落し板７を前記受孔９に差込むという２動作となり、取付け作業に手間がかかっていた。
【００１２】
本発明は斯かる実情に鑑み、簡単な構造で而も取付け作業が簡単なシャッタ用中柱を提供するものである。
【００１３】
【課題を解決するための手段】
本発明は、中柱下端部にロック部材を回転可能に設け、該ロック部材が係合部を有し、床側に被係合部を有し、前記ロック部材の回転により係合部を前記被係合部に係合離脱可能としたシャッタ用中柱に係り、又前記係合部は前記ロック部材の下端側に設けられた円弧形状であり、前記被係合部は床側に設けた凹部の上端部に設けられ、前記係合部が通過する２つの被係合孔を有するシャッタ用中柱に係り、又前記ロック部材は下端部がフック形状をしており、前記被係合部は床側に設けた凹部壁面に立設され前記ロック部材の下端部に嵌脱可能な被係合ピンであるシャッタ用中柱に係り、又前記ロック部材は長孔を介してピンに回転可能に支持されたロックプレートであり、該ロックプレートは下部に係合部を有し、前記被係合部は床側に設けた凹部内に設けられた被係合板であり、前記ロックプレートの回転で前記係合部が前記凹部内に進入し、前記ロックプレートの前記ピンに対する水平変位で前記被係合板と前記ロックプレートが係合可能なシャッタ用中柱に係り、又前記ロック部材は長孔を介してピンに回転可能に支持されたロックプレートであり、該ロックプレートは下部に係合部を有し、前記被係合部は床側に設けた凹部内に設けられた被係合ピンであり、前記ロックプレートの回転で前記係合部が前記凹部内に進入し、前記ロックプレートの前記ピンに対する水平変位で前記被係合ピンと前記ロックプレートが係合可能なシャッタ用中柱に係り、又前記ロック部材は中柱に対して近接離反方向に回転可能であり、前記ロック部材に略Ｕ字状の係合リンクを枢着し、床側に設けた凹部の壁面に被係合フックを固着し、前記ロック部材の回転により前記係合リンクを前記被係合フックに係合離脱可能としたシャッタ用中柱に係り、更に又中柱の下端部に前記ロックプレートを覆うカバーが設けられ、該カバーには前記ピンを中心とする円弧状のガイド溝が設けられ、前記ロックプレートに前記ガイド溝を摺動する摘みピンが設けられ、前記ガイド溝の下端部に前記摘みピンが水平移動する水平部が形成されているシャッタ用中柱に係るものである。
【００１４】
【発明の実施の形態】
以下、図面を参照しつつ本発明の実施の形態を説明する。
【００１５】
図１〜図３に於いて、１１は床、１２は床１１に埋設されたボックスであり、該ボックス１２は地中に埋設された鉄骨等（図示せず）に固着されている。
【００１６】
前記ボックス１２の上端開口部に中柱固定板１３が固着され、該中柱固定板１３は前記ボックス１２の上端開口部を閉塞し、前記中柱固定板１３には被係合部である対称な２つの被係合孔１４が穿設されている。
【００１７】
中柱１６はガイドレール１７ａ，１７ｂを背中合せに一体化したものであり、前記中柱１６の下端には中柱固定具１８が固着されている。
【００１８】
該中柱固定具１８について説明する。
【００１９】
前記中柱１６の下端部に台座板１９が固着されている。
【００２０】
該台座板１９は上部両端部が絞り加工され、倒立Ｔ字状の隆起部１９ａが形成されている。該隆起部１９ａの下部を覆う下端部カバー２１が前記台座板１９に固着される。前記下端部カバー２１の平断面は扁平な凹字形状であり、前記台座板１９との間に空間が形成される様になっており、前記下端部カバー２１の下部中央には前記台座板１９側に突出する逆台形状の凹部２１ｂが形成されている。
【００２１】
前記台座板１９の水平部と垂直部が交差する位置に軸２２が設けられ、該軸２２は前記下端部カバー２１を貫通し、前記台座板１９に固着されている。前記軸２２にロック部材であるロックレバー２３が回転自在に設けられている。
【００２２】
該ロックレバー２３は、丸棒等の棒材を屈曲させ形成したものであり、前記軸２２を境として下半部の先端部には、前記軸２２を中心とした円弧である係合部２３ａが形成され、前記軸２２を境として上半部は前記軸２２を通る前記円弧の中心線に対してθの角度を持っており、前記上半部の他端部には前記隆起部１９ａに対して垂直に曲起された握り部２３ｂが形成されている。
【００２３】
尚、図３中、２５は前記ガイドレール１７ａ，１７ｂによりガイドされ昇降するシャッタカーテンである。
【００２４】
図４（Ａ）、図４（Ｂ）、図４（Ｃ）を参照して作動を説明する。
【００２５】
前記中柱１６を取付ける場合は、前記ロックレバー２３を反時計方向に回転させ、該ロックレバー２３の先端が前記中柱１６の先端と略同位置としておく。この時、前記握り部２３ｂは前記台座板１９の図４（Ａ）中左幅端の位置となっており、前記中柱１６の幅から食出していない状態である。
【００２６】
前記中柱１６の上端部を図示しないシャッタケースに差込み、前記中柱１６の下端部を前記中柱固定板１３の直上とし、前記係合部２３ａの先端を前記被係合孔１４に位置合せする（図４（Ａ）参照）。
【００２７】
前記握り部２３ｂを持ち、図４（Ａ）中、前記ロックレバー２３を時計方向に回転させ、前記係合部２３ａを前記被係合孔１４，１４に貫通させる。前記凹部２１ｂは前記ロックレバー２３の回転のストッパとなる。
【００２８】
前記ロックレバー２３を所要角度回転させることで、前記中柱固定板１３に係合し、前記中柱１６の下端部が前記ロックレバー２３、中柱固定板１３を介して前記床１１に固定され、前記中柱１６の取付けが完了する。
【００２９】
前記中柱固定板１３と前記ロックレバー２３との係合により前記中柱１６の下端は水平方向、上方の変位が拘束され、前記シャッタカーテン２５に水平方向の風圧が作用しても前記中柱１６の下端が前記中柱固定板１３から外れることはない。又、前記シャッタカーテン２５は前記中柱１６のガイドレール１７ａ，１７ｂにそれぞれガイドされて開閉可能となる。
【００３０】
尚、上記した被係合部は床に突出して設けてもよく、例えば前記係合部が嵌入するリングを床に突設してもよい。
【００３１】
図５〜図７に於いて、第２の実施の形態について説明する。
【００３２】
地中にボックス２７が埋設され、該ボックス２７は地中に埋設された鉄骨２８に固着されている。前記ボックス２７は、半月状の側面と円筒曲面により形成された凹部３０と該凹部３０の周囲にフランジ部２９とを有し、該フランジ部２９の内、半月状の一方の側面２７ａに連続するフランジ部２９ｂは幅広となっており、該フランジ部２９ｂに中柱１６の下端が載置される様になっている。
【００３３】
前記凹部３０の前記半月状の他方の側面２７ｂには被係合部である被係合ピン３１が突設されている。
【００３４】
前記中柱１６の下端部には軸取付け座３２が固着され、該軸取付け座３２に軸３３が立設されている。該軸３３にロック部材である左ロックレバー３４、右ロックレバー３６が回転自在に取付けられている。前記左ロックレバー３４の下端部は図５、図７中、左に開口する係合部であるフック部３５を有しており、前記右ロックレバー３６の下端部は前記フック部３５とは対称の係合部であるフック部３７となっており、前記フック部３５、フック部３７はそれぞれ前記被係合ピン３１と係合可能となっている。
【００３５】
以下、作動について説明する。
【００３６】
前記中柱１６を取付ける場合は、前記左ロックレバー３４、右ロックレバー３６を離反方向に回転させ、前記フック部３５、フック部３７の先端位置を前記中柱１６の下端位置と略同じにしておく。
【００３７】
前記中柱１６の上端部を図示しないシャッタケースに差込み、前記中柱１６の下端部を前記フランジ部２９ｂに載置する。前記左ロックレバー３４、右ロックレバー３６を近接方向に回転させる。該左ロックレバー３４、右ロックレバー３６の回転により、前記フック部３５，３７が挟込む様に前記被係合ピン３１に係合する。
【００３８】
該被係合ピン３１と前記フック部３５、フック部３７との係合により前記中柱１６の下端は水平方向、上方の変位が拘束され、前記シャッタカーテン２５に水平方向の風圧が作用しても前記中柱１６の下端が前記被係合ピン３１から外れることはない。
【００３９】
図８〜図１１に於いて、第３の実施の形態について説明する。
【００４０】
地中にボックス３９が埋設され、該ボックス３９の上端に上蓋４０が固着され、前記ボックス３９の内部には前記上蓋４０と平行に被係合部である被係合板４１が固着されている。前記上蓋４０には略Ｌ字状の孔４２が穿設され、前記被係合板４１は後述する様に図８に見られる様に、前記ボックス３９の中心より所要量突出した大きさとなっており、前記被係合板４１の前記孔４２と重合する位置に先端側からスリット４３が刻設されている。
【００４１】
中柱１６の下端部に台座板４４が固着され、該台座板４４を覆う台座板カバー４５が前記中柱１６に固着されている。前記台座板４４と前記台座板カバー４５間には間隙が形成され、前記台座板４４と前記台座板カバー４５間にロック部材であるロックプレート４６が回転摺動自在に設けられている。前記台座板４４と前記台座板カバー４５の、図８中左下部の位置に、ピン４７が前記台座板４４と前記台座板カバー４５間に掛渡って設けられている。
【００４２】
前記台座板カバー４５には前記ピン４７を中心とする円弧状のガイド溝４８が刻設され、該ガイド溝４８の上端部には垂直部４８ａ及び該垂直部４８ａに連続する傾斜部４８ｂが形成され、前記ガイド溝４８の下端部には水平部４８ｃ及び該水平部４８ｃに連続する傾斜部４８ｄが形成されている。
【００４３】
図８に於いて、前記ロックプレート４６の左上端部には前記ピン４７が嵌合する長孔５０が穿設され、前記ロックプレート４６の右上端部には前記ガイド溝４８に摺動自在に嵌合する摘みピン４９が立設されている。該摘みピン４９は前記ガイド溝４８を貫通し、作業者が摘み操作できる程度に突出している。又、前記ロックプレート４６の右下端部には下方に延びる係合部５１が形成され、該係合部５１の先端部は直角に曲げられ鉤部５１ａが形成されている。
【００４４】
図１１（Ａ）〜図１１（Ｅ）を参照して作動について説明する。
【００４５】
前記中柱１６を格納する場合は、前記摘みピン４９を前記垂直部４８ａに位置させておく。前記摘みピン４９が前記垂直部４８ａに位置することで、前記ロックプレート４６の回転が拘束される（図１１（Ａ）参照）。
【００４６】
前記中柱１６を取付ける場合は、該中柱１６の上端部を図示しないシャッタケースに差込み、該中柱１６の下端部を前記ボックス３９に対応する様位置決めする。前記中柱１６の下端部が位置決めされた状態では、前記ロックプレート４６の直下に前記孔４２が位置する。
【００４７】
前記摘みピン４９を持上げ、前記垂直部４８ａから前記傾斜部４８ｂを経て前記ガイド溝４８に移行させる。この時、前記ピン４７は前記長孔５０の下端に位置し、前記ロックプレート４６は前記ピン４７を中心に回転する（図１１（Ｂ）参照）。
【００４８】
更に、前記摘みピン４９を前記ガイド溝４８に沿って移動させ、前記ロックプレート４６を回転させる。前記ガイド溝４８は前記ピン４７を中心とした円弧となっているので、前記ロックプレート４６の回転は円滑に行われる。該ロックプレート４６の回転に伴い、該ロックプレート４６の下端部、及び前記係合部５１が前記孔４２に進入する（図１１（Ｃ）、図１１（Ｄ）参照）。
【００４９】
更に回転して前記摘みピン４９が前記傾斜部４８ｄに到達すると、該傾斜部４８ｄ及び水平部４８ｃにより前記ロックプレート４６全体が図中左方に移動される（図１１（Ｅ）参照）。該ロックプレート４６の移動により、前記係合部５１が前記スリット４３に嵌合し、又前記鉤部５１ａと前記スリット４３との係合により、前記ロックプレート４６の上方への変位が拘束される（図８参照）。更に、該ロックプレート４６の水平方向の変位は、該ロックプレート４６の前記孔４２に対する嵌合によって拘束される。
【００５０】
而して、前記中柱１６の下端部は前記ロックプレート４６を介して床１１に固定される。
【００５１】
図１２、図１３に於いて第４の実施の形態について説明する。
【００５２】
図１２、図１３中、図８〜図１１中で示したものと同等のものには同符号を付し、その説明を省略する。
【００５３】
該第４の実施の形態では、ガイド溝４８の上端に垂直部４８ａ、下端に水平部４８ｃが形成され、傾斜部４８ｂ、傾斜部４８ｄは省略されている。
【００５４】
又、ロックプレート４６に形成される係合部５１には被係合板４１が嵌入する凹部５２が形成される。尚、屈曲成形される鉤部５１ａは省略される。従って、上蓋４０に形成される孔４２（図１０参照）は単なるスリット孔になり、前記被係合板４１に形成されるスリット４３は省略される。
【００５５】
前記中柱１６を格納する場合は、前記摘みピン４９を前記垂直部４８ａに位置することで、前記ロックプレート４６の回転が拘束される（図１３（Ａ）参照）。
【００５６】
前記中柱１６を取付ける場合は、該中柱１６の上端部を図示しないシャッタケースに差込み、該中柱１６の下端部を前記ボックス３９に対応する様位置決めする。前記摘みピン４９を持上げ、前記ガイド溝４８に沿って移動させ、前記ロックプレート４６は前記ピン４７を中心に回転する（図１３（Ｂ）、図１３（Ｃ）参照）。
【００５７】
更に、前記摘みピン４９を前記ガイド溝４８に沿って移動させ、前記摘みピン４９が前記ガイド溝４８の下端に到達すると、前記水平部４８ｃに沿って図中左方に水平移動させる。前記長孔５０が前記ピン４７に対して相対変位し、前記ロックプレート４６全体が左方に水平移動する。前記被係合板４１が前記凹部５２に嵌合して前記ロックプレート４６の上方への変位が拘束される（図１３（Ｄ）、図１２参照）。
【００５８】
而して、前記中柱１６は前記ロックプレート４６を介して床１１に固定される。
【００５９】
図１４、図１５に於いて第５の実施の形態について説明する。
【００６０】
図１４、図１５中、図８〜図１１及び図１２、図１３中で示したものと同等のものには同符号を付し、その説明を省略する。
【００６１】
第５の実施の形態では、図１２中で示される被係合板４１に代え、被係合部である被係合ピン３１を設けたものであり、ロックプレート４６に形成した凹部５２を前記被係合ピン３１に嵌合可能としたものである。
【００６２】
中柱１６下端の固定作業は、前記ロックプレート４６の格納状態（図１５（Ａ）参照）から摘みピン４９を引上げ、該摘みピン４９をガイド溝４８に沿って移動させるだけでよい。前記摘みピン４９が前記ガイド溝４８下端部で水平変位することで、前記凹部５２が前記被係合ピン３１に嵌合し、前記ロックプレート４６を介して前記中柱１６の下端部が床１１に固定される（図１５（Ｂ）、図１５（Ｃ）参照）。
【００６３】
図１６、図１７により第６の実施の形態について説明する。
【００６４】
地中にボックス５３が埋設され、該ボックス５３は地中に埋設された鉄骨（図示せず）に固着されている。前記ボックス５３は直角台形形状の凹部５９を形成し、該凹部５９はシャッタカーテン（図示せず）と平行な壁面５９ａを有し、該壁面５９ａに被係合部である被係合フック５４が固着されている。
【００６５】
中柱１６の下端部にレバー支持金具５５が固着され、該レバー支持金具５５にピン５６を介してロック部材であるレバー５７の下端が枢着され、該レバー５７の中途部には係合部である略Ｕ字状の係合リンク５８が枢着されている。
【００６６】
前記中柱１６の下端部を固定する場合は、前記レバー５７を下方に回転させ、更に前記係合リンク５８を起した状態とする。前記中柱１６の下端部が位置決めされると、前記係合リンク５８を前記被係合フック５４に引掛け、前記レバー５７を上方に回転（前記中柱１６に近接する方向に回転）させる。前記レバー５７を完全に回転させると、前記係合リンク５８の下端が前記被係合フック５４に係合し、前記係合リンク５８を介して前記レバー５７と前記被係合フック５４とが引寄せられる。更に、前記係合リンク５８を介した力の作用線が、前記レバー５７の回転中心より前記中柱１６側を通過するので、前記レバー５７には前記中柱１６に近接する方向の回転力が作用し、前記レバー５７はロック状態となる。
【００６７】
而して、前記中柱１６は前記係合リンク５８を介して床１１に固定される。
【００６８】
【発明の効果】
以上述べた如く本発明によれば、中柱下端部にロック部材を回転可能に設け、該ロック部材が係合部を有し、床側に被係合部を有し、前記ロック部材の回転により係合部を前記被係合部に係合離脱可能としたので、構造が簡単になると共にロック部材の回転動作のみで中柱の固定が可能となり、取付け固定作業が簡単となる等の優れた効果を発揮する。
【図面の簡単な説明】
【図１】本発明の第１の実施の形態を示す要部正面図である。
【図２】本発明の第１の実施の形態を示す要部側面図である。
【図３】本発明の第１の実施の形態を示す要部底面図である。
【図４】（Ａ）（Ｂ）（Ｃ）は本発明の第１の実施の形態の作動説明図である。
【図５】本発明の第２の実施の形態の正面図である。
【図６】本発明の第２の実施の形態の側面図である。
【図７】本発明の第２の実施の形態の作動説明図である。
【図８】本発明の第３の実施の形態を示す要部正面図である。
【図９】本発明の第３の実施の形態を示す要部側面図である。
【図１０】図８のＡ−Ａ矢視図である。
【図１１】（Ａ）（Ｂ）（Ｃ）（Ｄ）（Ｅ）は本発明の第３の実施の形態の作動説明図である。
【図１２】本発明の第４の実施の形態の要部正面図である。
【図１３】（Ａ）（Ｂ）（Ｃ）（Ｄ）は本発明の第４の実施の形態の作動説明図である。
【図１４】本発明の第５の実施の形態の要部正面図である。
【図１５】（Ａ）（Ｂ）（Ｃ）は本発明の第５の実施の形態の作動説明図である。
【図１６】本発明の第６の実施の形態の要部正面図である。
【図１７】本発明の第６の実施の形態の要部側面図である。
【図１８】従来例の正面図である。
【図１９】従来例の側断面図である。
【符号の説明】
１１        床
１２        ボックス
１３        中柱固定板
１４        被係合孔
１６        中柱
１８        中柱固定具
１９        台座板
２１        下端部カバー
２３        ロックレバー
２３ａ      係合部
２７        ボックス
３１        被係合ピン
３４        左ロックレバー
３５        フック部
３６        右ロックレバー
３７        フック部
３９        ボックス
４０        上蓋
４１        被係合板
４２        孔
４３        スリット
４６        ロックプレート
４７        ピン
４８        ガイド溝
４９        摘みピン
５０        長孔
５１        係合部
５２        凹部
５３        ボックス
５４        被係合フック
５５        レバー支持金具
５６        ピン
５７        レバー
５８        係合リンク
５９        凹部
【図１】
2004156218.tif 000003
【図２】
2004156218.tif 000004
【図３】
2004156218.tif 000005
【図４】
2004156218.tif 000006
【図５】
2004156218.tif 000007
【図６】
2004156218.tif 000008
【図７】
2004156218.tif 000009
【図８】
2004156218.tif 000010
【図９】
2004156218.tif 000011
【図１０】
2004156218.tif 000012
【図１１】
2004156218.tif 000013
【図１２】
2004156218.tif 000014
【図１３】
2004156218.tif 000015
【図１４】
2004156218.tif 000016
【図１５】
2004156218.tif 000017
【図１６】
2004156218.tif 000018
【図１７】
2004156218.tif 000019
【図１８】
2004156218.tif 000020
【図１９】
2004156218.tif 000021